(57)【要約】      （修正有） 【課題】タッチパネル表示装置を提供する。【解決手段】表示パネルは保護パネルの下方に設置される。タッチパネルは表示パネルと保護パネルとの間に設置され、検出電極層と、検出電極層と電気的に接続される少なくとも１つの信号線とを備える。フレキシブルプリント回路基板１２は、その一端がタッチパネルの縁と結合され、縁の長さより短い長さを有し、且つタッチパネルの対角線ＤＬの交差点から縁の方向Ｄ１に向かって外へ垂直に延出すると共に、基本的に当該縁の中心に位置される。駆動回路１２２はフレキシブルプリント回路基板１２上に設置され、タッチパネルを駆動するように少なくとも１つの信号線と電気的に接続される。複数のピン１２３はフレキシブルプリント回路基板の他端に設置され、駆動回路に電気的に接続される。保護層はフレキシブルプリント回路基板及び駆動回路を覆うように配置される。【選択図】図１
0003200683.tif 000002
【実用新案登録請求の範囲】
【請求項１】
保護パネルと、表示パネルと、タッチパネルと、フレキシブルプリント回路基板と、駆動回路と、複数のピンと、保護層とを備えるタッチパネル表示装置であって、
前記表示パネルは、前記保護パネルの下方に設置され、
前記タッチパネルは、前記表示パネルと前記保護パネルとの間に設置され、前記タッチパネルは、検出電極層と、前記検出電極層と電気的に接続される少なくとも１つの信号線とを備え、前記検出電極層は、複数の検出電極を備え、
前記フレキシブルプリント回路基板は、その一端が前記タッチパネルの縁と結合され、前記縁の長さより短い長さを有し、且つ前記タッチパネルの対角線の交差点から前記縁の方向に向かって外へ垂直に延出すると共に、基本的に前記縁の中心に位置され、前記フレキシブルプリント回路基板の前記タッチパネルに近い一端には、前記少なくとも１つの信号線と接続される少なくとも１つの導線が設置され、前記少なくとも１つの導線の数は少なくとも前記少なくとも１つの信号線の数に対応し、
前記駆動回路は、前記フレキシブルプリント回路基板上に設置され、前記タッチパネルを駆動するように前記少なくとも１つの信号線と電気的に接続され、
前記複数のピンは、前記フレキシブルプリント回路基板の他端に設置され、前記駆動回路に電気的に接続され、
前記保護層は、前記フレキシブルプリント回路基板及び前記駆動回路を覆うように配置されることを特徴とする、タッチパネル表示装置。
【請求項２】
前記タッチパネルは、可視領域と、非可視領域とが定義される遮光層をさらに備え、前記非可視領域は、前記タッチパネルの縁に位置され、前記可視領域は、前記タッチパネルの面積より小さい面積を有することを特徴とする、請求項１に記載のタッチパネル表示装置。
【請求項３】
前記タッチパネルの各縁部に位置された前記複数の検出電極は、前記タッチパネルの各縁部の電磁妨害を軽減するように、前記複数の検出電極と電気的に接続される前記駆動回路によって部分的に遮断することを特徴とする、請求項２に記載のタッチパネル表示装置。
【請求項４】
前記保護層は、前記駆動回路と前記タッチパネルとの間の電磁妨害（ＥＭＩ）保護層と、絶縁するための絶縁保護層とをさらに備えることを特徴とする、請求項１に記載のタッチパネル表示装置。
【請求項５】
前記タッチパネル表示装置のノイズ伝導速度を向上させるように、前記フレキシブルプリント回路基板、前記駆動回路及び前記保護層に貫通された複数のアース孔をさらに備えることを特徴とする、請求項１に記載のタッチパネル表示装置。
【請求項６】
異なるサイズの前記タッチパネル、前記表示パネル及び前記保護パネルに応用するために、前記フレキシブルプリント回路基板、前記駆動回路、前記アース孔及び前記複数のピンの位置及び間隔距離が固定されることを特徴とする、請求項１に記載のタッチパネル表示装置。
【請求項７】
前記少なくとも１つの信号線は前記タッチパネルの少なくとも１つの縁に設置され、且つレーザ工程によって前記少なくとも１つの信号線を縮小することを特徴とする、請求項１に記載のタッチパネル表示装置。
【請求項８】
前記フレキシブルプリント回路基板が前記タッチパネルの前記縁から外へ延出する長さは、少なくとも前記フレキシブルプリント回路基板を前記表示パネルの下方に曲げて、前記タッチパネル表示装置を駆動するシステム基板と接続できる長さであることを特徴とする、請求項１に記載のタッチパネル表示装置。
【請求項９】
前記複数のピンの数が６つであることを特徴とする、請求項１に記載のタッチパネル表示装置。
【請求項１０】
前記複数のピンのインターフェイスの種類は、ユニバーサルシリアルバス（Ｕｎｉｖｅｒｓａｌ  Ｓｅｒｉａｌ  Ｂｕｓ，  ＵＳＢ）と、汎用非同期送受信回路（Ｕｎｉｖｅｒｓａｌ  Ａｓｙｎｃｈｒｏｎｏｕｓ  Ｒｅｃｅｉｖｅｒ／Ｔｒａｎｓｍｉｔｔｅｒ，  ＵＡＲＴ）バスと、アイ・スクエア・シー（Ｉｎｔｅｒ−Ｉｎｔｅｇｒａｔｅｄ  Ｃｉｒｃｕｉｔ）バスとを含むことを特徴とする、請求項１に記載のタッチパネル表示装置。
【考案の詳細な説明】
【技術分野】
【０００１】
本考案は、タッチパネル表示装置に関し、特に、異なるサイズのタッチパネル表示装置のフレキシブルプリント回路基板の位置を合わせるようにシステムの設計を変更する必要はないタッチパネル表示装置に関するものである。
【背景技術】
【０００２】
近年、タッチパネル表示装置はユーザーフレンドリーな操作性及び制御しやすい特徴ゆえ、タッチパネル表示装置の市場占有率は益々向上している。同時に、タッチパネル表示装置に対する軽量化への人々の要求も高まるので、フレキシブルプリント回路基板は軽量化又は空間制限が要求されるタッチパネル表示装置に広く応用されている。
【０００３】
技術の発展に伴い、モバイルデバイス、例えば、スマートフォン、タブレット等のディスプレイサイズに対する人々の要求も多様化しつつある。しかし、ディスプレイサイズの変更に伴い、各メーカーは異なるサイズ又は違うメーカーで生産されたタッチパネルの部材配置に合わせるようにシステムの設計を変更する必要がある。よって、生産ラインの設備はシステムの設計に従って変更せざるを得ないので、様々なサイズを生産しようとするメーカーに対して莫大なコストを費やすことになる。
【０００４】
また、タッチパネル表示装置の製造過程において、フレキシブルプリント回路基板とプリント回路基板とを組み立てる必要があるので、組立過程による振動で緩んでしまう問題が発生しやすくなる。よって、異なるサイズのタッチパネル表示装置のフレキシブルプリント回路基板の位置を合わせるようにシステム（ＰＣＢ／部品）の設計を変更する必要はなく、且つ異なるサイズ及び厚さであっても、同様なユーザインターフェイス及び位置を提供するタッチパネル表示装置が求められている。
【考案の概要】
【考案が解決しようとする課題】
【０００５】
上記従来技術の目的に鑑みて、本考案は、異なるサイズのタッチパネル表示装置のフレキシブルプリント回路基板の位置を合わせるようにシステム（ＰＣＢ／部品）の設計を変更する必要はなく、且つ異なるサイズ及び厚さであっても、同様なユーザインターフェイス及び配置を提供するタッチパネル表示装置を提供することを目的とする。これによって、従来のタッチパネル表示装置の欠点を改善することができる。
【課題を解決するための手段】
【０００６】
本考案の目的によって、保護パネルと、表示パネルと、タッチパネルと、フレキシブルプリント回路基板と、駆動回路と、複数のピンと、保護層とを備えるタッチパネル表示装置を提供する。表示パネルは保護パネルの下方に設置される。タッチパネルは表示パネルと保護パネルとの間に設置され、タッチパネルは、検出電極層と、検出電極層と電気的に接続される少なくとも１つの信号線とを備え、検出電極層は、複数の検出電極を備える。フレキシブルプリント回路基板は、その一端がタッチパネルの縁と結合され、縁の長さより短い長さを有し、且つタッチパネルの対角線の交差点から縁の方向に向かって外へ垂直に延出すると共に、基本的に縁の中心に位置され、フレキシブルプリント回路基板のタッチパネルに近い一端には、少なくとも１つの信号線と接続される少なくとも１つの導線が設置され、且つ少なくとも１つの導線の数は少なくとも、上記少なくとも１つの信号線の数に対応する。駆動回路はフレキシブルプリント回路基板上に設置され、タッチパネルを駆動するように少なくとも１つの信号線と電気的に接続される。複数のピンはフレキシブルプリント回路基板の他端に設置され、駆動回路に電気的に接続される。保護層はフレキシブルプリント回路基板及び駆動回路を覆うように配置される。
【０００７】
より好ましくは、可視領域と、非可視領域とが定義される遮光層をさらに備える。非可視領域はタッチパネルの縁に位置され、可視領域はタッチパネルの面積より小さい面積を有する。
【０００８】
より好ましくは、タッチパネルの各縁部に位置された複数の検出電極は、タッチパネルの各縁部の電磁妨害を軽減するように、複数の検出電極と電気的に接続される駆動回路によって部分的に遮断する。
【０００９】
より好ましくは、保護層は、駆動回路とタッチパネルとの間の電磁妨害（ＥＭＩ）保護層と、絶縁するための絶縁保護層とをさらに備える。
【００１０】
より好ましくは、タッチパネル表示装置のノイズ伝導速度を向上させるように、フレキシブルプリント回路基板は、フレキシブルプリント回路基板、駆動回路及び保護層に貫通された複数のアース孔をさらに備える。
【００１１】
より好ましくは、異なるサイズのタッチパネル、表示パネル及び保護パネルに応用するために、フレキシブルプリント回路基板、駆動回路、アース孔及び複数のピンの位置及び間隔距離が固定される。
【００１２】
より好ましくは、少なくとも１つの信号線はタッチパネルの少なくとも１つの縁に設置され、且つレーザ工程によって少なくとも１つの信号線のサイズを縮小する。
【００１３】
より好ましくは、フレキシブルプリント回路基板がタッチパネルの縁から外へ延出する長さは、少なくともフレキシブルプリント回路基板を表示パネルの下方に曲げて、タッチパネル表示装置を駆動するシステム基板と接続できる長さである。
【００１４】
より好ましくは、複数のピンの数が６つである。
【００１５】
より好ましくは、複数のピンのインターフェイスの種類は、ユニバーサルシリアルバス（Ｕｎｉｖｅｒｓａｌ  Ｓｅｒｉａｌ  Ｂｕｓ，  ＵＳＢ）と、汎用非同期送受信回路（Ｕｎｉｖｅｒｓａｌ  Ａｓｙｎｃｈｒｏｎｏｕｓ  Ｒｅｃｅｉｖｅｒ／Ｔｒａｎｓｍｉｔｔｅｒ，  ＵＡＲＴ）バスと、アイ・スクエア・シー（Ｉｎｔｅｒ−Ｉｎｔｅｇｒａｔｅｄ  Ｃｉｒｃｕｉｔ）バスとを含む。
【図面の簡単な説明】
【００１６】
【図１】本考案に係るタッチパネル表示装置の実施例の上面図である。
【図２】本考案に係るタッチパネル表示装置の実施例の分解透視図である。
【図３】本考案に係るタッチパネル表示装置の実施例の上面図である。
【図４】本考案に係るタッチパネル表示装置の実施例の断面図である。
【図５】本考案に係るタッチパネル表示装置のフレキシブルプリント回路基板の部分拡大図である。
【図６】図５のピンの部分Ａの拡大図である。
【図７】本考案に係るタッチパネル表示装置が異なるサイズに応用される概略図である。
【図８】図８Ａ〜図８Ｃは本考案に係るタッチパネル表示装置が電磁両立性試験を行う概略図である。
【考案を実施するための形態】
【００１７】
本考案をより完全に理解するために、本考案の技術特徴、内容と長所及びそれが達成できる作用効果について、添付図面を参照して、実施例の表現形式で以下のように詳細に説明する。但し、図示された図面は、単に例示または明細書内容を補助することを目的としたものであって、本考案の実施後の原寸に比例したものや精確に配置したものには何ら拘束されない。よって、図示された図面は、添付図面の比例と配置関係で解釈されてはならず、本考案を実際に実施する権利範囲に制限することを意図したものではないことについて先に説明しておきたい。
【００１８】
以下、本考案に係るタッチパネル表示装置の実施例について、添付図面を参照して説明する。なお、理解しやすいように、下記の各実施形態において、同一部品については、同一符号を付けて説明する。
【００１９】
図１は本考案に係るタッチパネル表示装置の実施例の上面図であり、図２は本考案に係るタッチパネル表示装置の実施例の分解透視図であり、図３は本考案に係るタッチパネル表示装置の実施例の上面図であり、図４は本考案に係るタッチパネル表示装置の実施例の断面図である。
【００２０】
図１〜図４を参照すると、本考案は、保護パネル１００と、表示パネル１１０と、タッチパネル１２０と、フレキシブルプリント回路基板１２と、駆動回路１２２と、ピン１２３とを備えるタッチパネル表示装置１を提供する。保護パネル１００（Ｃｏｖｅｒ  ｌｅｎｓ）は、底層のタッチパネル１２０及び表示パネル１１０等を保護するためのものであり、スクラッチ、指紋や汚れを防止可能なものであるので、外観を向上させることができる。より好ましくは、保護パネル１００は、スクラッチ防止／硬化ＨＣ（ｈａｒｄ  ｃｏａｔ）、反射防止ＡＲ（ａｎｔｉ−ｒｅｆｌｅｃｔｉｏｎ）、乱反射防止ＡＧ（ａｎｔｉ−ｇｌａｒｅ）、汚れ／指紋防止ＡＳ（ａｎｔｉ−ｓｍｕｄｇｅ）などの機能を有する。表示パネル１１０は保護パネル１００の下方に設置される。タッチパネル１２０は表示パネル１１０と保護パネル１００との間に設置される。上面図に示すように、タッチパネル１２０は、遮光層１２０２をさらに備え、タッチパネル１２０を２つの領域に分けている。可視領域ＶＲ（ｖｉｓｉｂｌｅ  ｒｅｇｉｏｎ）及び非可視領域ＩＲ（ｉｎｖｉｓｉｂｌｅ  ｒｅｇｉｏｎ）である。
【００２１】
タッチパネル１２０は、検出電極層１２０１を備え、タッチパネル１２０の縁には信号線１２０４をさらに備え、その一端が検出電極層１２０１中の複数の検出電極１２０３に接続される。フレキシブルプリント回路基板１２は、その一端がタッチパネル１２０の縁と結合され、且つタッチパネル１２０の対角線ＤＬの交差点から当該縁の方向Ｄ１に向かってタッチパネル１２０の外へ垂直に延出する。しかし、図１に示した実施例は単に例示的なものであり、フレキシブルプリント回路基板１２は、対角線ＤＬの交差点から当該タッチパネルの任意の１つの縁の方向に向かってタッチパネル１２０の外へ垂直に延出してもよく、即ち、タッチパネル１２０の長辺から延出することに限定されない。フレキシブルプリント回路基板１２のタッチパネル１２０に近い一端上には、信号線１２０４の他端と電気的に接続される導線１２１が設置され、当該導線１２１の数は少なくとも信号線１２０４の数に対応し、即ち、導線１２１の数は、信号線１２０４より多い又は等しい数であってもよい。ここでは、信号線１２０４をなるべく縮小するように設計し、本考案のタッチパネル表示装置１は狭額縁設計の需要を満たすように、タッチパネルの回路工程は従来のプリント工程の代わりにレーザ工程を採用することができる。
【００２２】
本考案のタッチパネル表示装置１により、駆動回路１２２は、タッチパネル１２０を駆動するための駆動制御用ＩＣをさらに備え、且つ駆動回路１２２はフレキシブルプリント回路基板１２の上方に固定され、検出電極層１２０１の複数の検出電極１２０３によって検出されたタッチ信号は、導線１２１を通って駆動回路１２２に送信され、駆動回路１２２中の駆動制御用ＩＣでタッチ位置のデジタルデータに変換され、またフレキシブルプリント回路基板１２上のピン１２３を用いてシステム基板（図示されない）に送信される。表示パネル１２０は、例えば、発光ダイオードディスプレイ、有機発光ダイオードディスプレイ、液晶ディスプレイ等の各種の表示装置を含み、且つ表示パネル１２０は、それを駆動するためのトランジスター、偏光板、バックライトモジュールなどの部材をさらに含むが、それらは当業者にとって周知の技術であるため、ここでの詳細な説明は省略する。
【００２３】
図４を参照すると、タッチパネル１２０の検出電極層１２０１は、複数の異なる方向性のある透明電極の組み合わせによって複数の検出電極１２０３を構成することができ、例えば、酸化インジウム錫を有する導電性パターン付きのガラス、又は他の導電性材料、例えば、金属で製造された金属メッシュ又は金属ナノ細線などの導電性パターン材料を用いて、光学透明粘着剤（ｏｐｔｉｃａｌ  ｃｌｅａｒ  ａｄｈｅｓｉｖｅ，  ＯＣＡ）によって異なる方向性のある導電性パターン材料を接着させて構成される。また、電磁妨害を防止するために、導線１２１の外部には電磁妨害（ＥｌｅｃｔｒｏＭａｇｎｅｔｉｃ  Ｉｎｔｅｒｆｅｒｅｎｃｅ，  ＥＭＩ）保護層１２４１で覆われてもよい。そして、組立過程においてショートの発生を防止するために、駆動回路１２２及びフレキシブルプリント回路基板の外部にはさらに絶縁保護層１２４２で覆われてもよい。ここでの電磁妨害保護層１２４１は、導線１２１の外部に位置されることに限定されなく、駆動回路１２２及び検出電極層１２０１に対する電磁妨害を低減するために、需要に応じて駆動回路１２２及び検出電極層１２０１の外部に設置されてもよい。
【００２４】
図５は、本考案に係るタッチパネル表示装置のフレキシブルプリント回路基板の部分拡大図である。ここでは、さらにタッチパネル表示装置１のフレキシブルプリント回路基板１２を、図５を参照して説明する。図５に示すように、複数のアース孔１２２１は、フレキシブルプリント回路基板１２、駆動回路１２２及び絶縁保護層１２４２に貫通される。これらのアース孔１２２１はタッチパネル表示装置１のノイズ伝導速度を向上させることができる。図に示したアース孔１２２１の数は限定されることはない。さらにタッチパネル表示装置１のノイズ伝導速度を向上させるように、より好ましい数は４つである。フレキシブルプリント回路基板１２の他端には、駆動回路１２２を介して導線１２１に電気的に接続される複数のピン（ｐｉｎ）１２３を備える。本考案のより好ましい実施例において、さまざまなインターフェイスを提供して組み立てに応用するように、ピン１２３の数は６つであってもよい。インターフェイスの種類は、ユニバーサルシリアルバス（Ｕｎｉｖｅｒｓａｌ  Ｓｅｒｉａｌ  Ｂｕｓ，  ＵＳＢ）、汎用非同期送受信回路（Ｕｎｉｖｅｒｓａｌ  Ａｓｙｎｃｈｒｏｎｏｕｓ  Ｒｅｃｅｉｖｅｒ／Ｔｒａｎｓｍｉｔｔｅｒ，  ＵＡＲＴ）バス及びアイ・スクエア・シー（Ｉｎｔｅｒ−Ｉｎｔｅｇｒａｔｅｄ  Ｃｉｒｃｕｉｔ）バスを含む。ピン１２３の各実施例は、以下表１に示すように、ここで定義された規格は詳細に説明するために例示するものであり、これらの規格に限定されない。
【００２５】
【表１】
0003200683.tif 000003
【００２６】
もう一度図１を参照すると、非可視領域ＩＲはタッチパネル１２０の縁に位置され、可視領域ＶＲの面積はタッチパネル１２０の面積より小さい面積を有し、即ち、タッチパネル１２０中の複数の検出電極１２０３はさらに２つの領域に分けられている。一般的に、タッチパネル１２０の縁から発生されたノイズは中間部分のノイズより遥かに大きいノイズを有するので、縁の検出電極１２０３を部分的にオフすることができる。その中、信号干渉を防止するために、タッチパネル１２０の左、右、上及び下の縁に位置された検出電極１２０３は検出電極１２０３と電気的に接続された駆動回路１２２によってオフすることができ、且つ１回のペアリングで各縁の検出電極１２０３をオフすることではなく、単一縁の検出電極１２０３に対して個別にオフすることができる。また、瞬間的な高電圧の衝撃を吸収するために、駆動回路１２２上にキャパシタ素子をさらに設置することができる。図６は、図５のピンの部分Ａの拡大図である。図に示すように、ピン１２３は６つのピンを提供する。ここでは、本考案のより好ましい実施例により、異なるインターフェイスに合わせるように、各ピンの長さＬ１は、１±０．１ｍｍであってもよい。より好ましいピン１２３の長さＬ２は、３．５±０．１ｍｍであり、ピンの全幅Ｌ３は、７＋０．０７／−０．１２ｍｍであってもよい。
【００２７】
本考案のより好ましい実施例により、フレキシブルプリント回路基板１２がタッチパネル１２０の縁から外へ延出する長さは、少なくともフレキシブルプリント回路基板１２を表示パネル１１０の下方に曲げて、タッチパネル表示装置１を駆動するシステム基板（図示されない）と接続できる長さであり、即ち、タッチパネル１２０の縁から延出する長さは、現在販売されている全てのＬＣＤの厚さに合わせるように配慮されている。検出電極１２０３から検出された信号は駆動回路１２２内の制御駆動ＩＣによってタッチ位置の検出データに基づいて座標点を算出することができる。また、複数の回路が表示パネルとシステム基板との間（図示されない）に配置されることにより、システム基板と表示パネルとの間に各種の信号、例えば、表示パネル上に映像を表示するように表示パネルの駆動信号を送信することができるので、タッチディスプレイの操作が完了する。
【００２８】
図７は、本考案に係るタッチパネル表示装置が異なるサイズに応用される概略図である。図７に示すように、サイズに関わらず、フレキシブルプリント回路基板、駆動回路、アース孔及びピンの位置及び間隔距離が同じであるので、組立においてシステム基板の設計を変更する必要はなく、簡単に本考案のタッチパネル表示装置を利用してシリーズ製品の開発に応用することができる。また、駆動回路及びピンのインターフェイス及び配置も、保護パネル、タッチパネル及び表示パネルのサイズによって変更することはないので、本考案のタッチパネル表示装置を様々なサイズの携帯型装置、ディスプレイ又はパネル等に応用することができる。本考案のタッチパネル表示装置は、組立の利便性を提供することができ、例えば、現在販売されている画面サイズによって、本考案のタッチパネル表示装置は、１０．１”Ｗ〜２１．５”Ｗ等の画面サイズにそれぞれ応用することができ、且つその後に続く新世代機種の設計も同じであり、下位／上位互換することができる。図７において、Ｗは１６：９や１６：１０のワイド画面サイズを表し、Ｗがマークされていない画面は４：３の画面サイズを表す。
【００２９】
図８Ａ〜図８Ｃは、本考案に係るタッチパネル表示装置が電磁両立性試験を行う概略図である。電磁ノイズ環境を模擬し、ＥＭＣ試験結果の再現性、精度及び信頼性を確保し、且つ実際に被測定製品及び設備から出されたノイズを効果的に測定するために、ＥＭＣ試験の環境に対する要求は高い。試験場所は、遮蔽室（ＴＥＭ／ＧＴＥＭ  Ｃｅｌｌなどの横方向電磁波ＥＭＣ試験室を含む）、電波暗室及び屋外オープンサイト（ｏｐｅｎ  Ａｒｅａ  Ｔｅｓｔ  Ｓｉｔｅ，  ＯＡＴＳ）等に分けることができる。これらの試験場所の機能、建材及び特定条件を、以下のように説明する：遮蔽室として、室内の電磁ノイズ環境の要求を満たすように、外部からの電子及び電気機器の干渉を遮蔽し、且つ外部に干渉しないように内部、例えば、アンテナ等からの放出源を遮蔽するように構成される。本考案のタッチパネル表示装置に対して試験を行った結果、携帯型電子装置の各種の電磁耐性試験をクリアすることができる。特筆すべきことは、特に伝導妨害感受性（Ｃｏｎｄｕｃｔｅｄ  Ｓｕｓｃｅｐｔｉｂｉｌｉｔｙ，  ＣＳ）及び放射妨害感受性ＲＳ（Ｒａｄｉａｔｅｄ  ｓｕｓｃｅｐｔｉｂｉｌｉｔｙ）の要求に対して、伝導妨害感受性ＣＳは、製品が外部接続ケーブル、例えば、電源線及び他の入力／出力ケーブル（Ｉ／Ｏ  Ｃａｂｌｅ）を通じて伝導された電磁エネルギーに対する耐性であり、概略図に示すように、結合減結合回路網（ｃｏｕｐｌｉｎｇ  ｄｅｃｏｕｐｌｉｎｇ  ｎｅｔｗｏｒｋｓ，  ＣＤＮ）注入試験（図８Ｂ）及び電磁クランプ注入試験（図８Ｃ）を含み、それぞれ減衰器Ｔ２によって異なる信号レベルのＲＦ信号を注入し、放射妨害感受性ＲＳ（Ｒａｄｉａｔｅｄ  ｓｕｓｃｅｐｔｉｂｉｌｉｔｙ）は、製品がフリースペースから伝導されたＥＭＩに対する耐性であり、電磁妨害感受性（ＥＭＳ、ＣＳ及びＲＳを含む）試験の主な内容は、１、電場、磁場に対する放射妨害感受性試験と、２、電源線、制御線、信号線、アース線等に干渉を注入する伝導妨害感受性試験と、３、静電気放電及び各種の過渡電磁波（インパルス又は電気的高速過渡現象）に対する感受性試験とを含む。本考案のタッチパネル表示装置に対して試験を行った結果、伝導妨害感受性（Ｃｏｎｄｕｃｔｅｄ  Ｓｕｓｃｅｐｔｉｂｉｌｉｔｙ，  ＣＳ）のＩＥＣ／ＥＮ  ６１０００−４−６安全規格及び放射妨害感受性ＲＳ（Ｒａｄｉａｔｅｄ  ｓｕｓｃｅｐｔｉｂｉｌｉｔｙ）のＩＥＣ／ＥＮ  ６１０００−４−３安全規格をクリアした。本考案を明らかにするように、ＣＳ及びＲＳ試験は既に図示されて、且つそれらの試験は当該技術分野において公知の方法であるので、ここでの詳細な説明は省略する。
【００３０】
以上によって、本考案のタッチパネル表示装置はサイズに関わらず、フレキシブルプリント回路基板、駆動回路、アース孔及びピンの位置はすべて同じであるので、異なるサイズのタッチパネル表示装置のフレキシブルプリント回路基板の位置を合わせるようにシステム（ＰＣＢ／部品）の設計を変更する必要はなく、且つ異なるサイズ及び厚さであっても、同様なユーザインターフェイス及び配置を提供することができる。
【００３１】
また、本考案のタッチパネル表示装置において、特にタッチパネルの縁を遮断するための専用ピン及び複数のアース孔が配置されることで、タッチパネル表示装置の電磁妨害及びノイズを軽減し、且つ厳しい電磁両立性試験をクリアすることができる。
【符号の説明】
【００３２】
１：タッチパネル表示装置
１００：保護パネル
１１０：表示パネル
１２０：タッチパネル
１２：フレキシブルプリント回路基板
１２１：導線
１２２：駆動回路
１２３：ピン
１２０１：検出電極層
１２０２：遮光層
１２０３：検出電極
１２０４：信号線
１２２１：アース孔
１２４２：絶縁保護層
１２４１：電磁妨害保護層
ＶＲ：可視領域
ＩＲ：非可視領域
ＤＬ：対角線
Ｄ１：方向
Ｌ１、Ｌ２：長さ
Ｌ３：幅
Ａ：部分
【図１】
0003200683.tif 000004
【図２】
0003200683.tif 000005
【図３】
0003200683.tif 000006
【図４】
0003200683.tif 000007
【図５】
0003200683.tif 000008
【図６】
0003200683.tif 000009
【図７】
0003200683.tif 000010
【図８Ａ】
0003200683.tif 000011
【図８Ｂ】
0003200683.tif 000012
【図８Ｃ】
0003200683.tif 000013